(57)【要約】  ほこりとごみとを分離する手段（８）と、吸い込みの気流を発生させるためのファン（５）を駆動するように組みつけられたモータ（６）と、該モータとクリーナヘッド（１３）とに電力を供給するために選択的に操作可能なスイッチ（２３）と、を含んだ掃除器具を提供する。そのクリーナヘッドは、ブラシバー（１５）の形式の駆動可能な撹拌器と専用モータ（１８）とを備えている。主吸引モータ（６）のスイッチが入れられたとき、ブラシバーモータ（１８）は通電されて、ブラシバーは掃除機の起動に起因して自動的に駆動される。このことは優れた掃除性能を達成しており、それは使用者がブラシバーの選択的な操作をおぼえている必要がなく、ブラシバーが自動的に駆動されることに伴っている。
2008526414.tif 000002
【特許請求の範囲】
【請求項１】
ほこりとごみとを分離する手段と、
吸い込みの気流を発生させるためのファンを駆動するように組みつけられたモータと、
該モータに電力を供給するために選択的に操作可能なスイッチと、を含んだ掃除器具のためのクリーナヘッドにおいて、
前記モータが通電されたときに駆動されるように組みつけられた駆動可能な撹拌器を含んでいることを特徴とするクリーナヘッド。
【請求項２】
前記撹拌器を駆動するための撹拌モータをさらに含んでいることを特徴とする、請求項１に記載のクリーナヘッド。
【請求項３】
前記撹拌モータへの電力供給と電力切断とを選択するためのスイッチをさらに含んでいることを特徴とする、請求項２に記載のクリーナヘッド。
【請求項４】
前記撹拌器は回転可能なブラシバーを含んでいることを特徴とする、請求項１〜３のいずれか一項に記載のクリーナヘッド。
【請求項５】
実質的に参照を伴って以上に記載され、または添付図中に描写されたクリーナヘッド。
【請求項６】
ほこりとごみとを分離する手段を収納している主ボディと、
吸い込みの気流を発生させるためのファンを駆動するように組みつけられたモータと、
該モータへの電力供給のための選択的に操作可能なスイッチと、
前記モータが通電されたときに駆動されるように組みつけられた駆動可能な撹拌器を備えたクリーナヘッドと、を含んでいることを特徴とする掃除器具。
【請求項７】
前記撹拌器を駆動するための撹拌モータをさらに含んでいることを特徴とする、請求項６に記載の掃除器具。
【請求項８】
前記撹拌モータへの電力供給と電力切断とを選択するための撹拌モータスイッチをさらに含んでいることを特徴とする、請求項７に記載の掃除器具。
【請求項９】
前記撹拌モータスイッチは主ボディに配置されていることを特徴とする、請求項８に記載の掃除器具。
【請求項１０】
前記撹拌モータは前記クリーナヘッド内に配置されていることを特徴とする、請求項７、８または９に記載の掃除器具。
【請求項１１】
前記撹拌器は回転可能なブラシバーを含んでいることを特徴とする、請求項６〜１０のいずれか一項に記載の掃除器具。
【請求項１２】
電気掃除機の形式であることを特徴とする請求項６〜１１のいずれか一項に記載の掃除器具。
【請求項１３】
実質的に参照を伴って以上に記載され、または添付図中に描写されたクリーナヘッド。
【請求項１４】
ほこりとごみとを分離する手段と、
吸い込みの気流を発生させるためのファンを駆動するように組みつけられたモータと、駆動可能な撹拌器を備えたクリーナヘッドと、を含んだ掃除器具のための回路構成において、
該回路構成は、使用者が前記モータに通電するために操作可能であって、前記モータが通電されたときに前記撹拌器が駆動されるように組みつけられたスイッチを含んでいることを特徴とする回路構成。
【発明の詳細な説明】
【技術分野】
【０００１】
本発明は電気掃除機のような掃除器具のためのクリーナヘッドに関する。
【背景技術】
【０００２】
大多数の電気掃除機は、それぞれ“直立”型または“シリンダ”型であり、後者はある国においてキャニスタ（canister）またはバレル（barrel）掃除機と呼ばれている。直立型電気掃除機は、一般的にはほこりとごみとの分離装置からなる主ボディと、主ボディに回転可能に取り付けられて汚れた空気の吸い込み口を備えたクリーナヘッドと、汚れた空気の吸い込み口を通してほこりとごみとの分離装置内へ汚れた空気を引き込むためのモータおよびファンのユニットとを含んでおり、ほこりとごみとは、清浄な空気が大気中に放出される前に、気流から分離されることが可能である。汚れた空気の入口は、そこを通して汚れた空気が電気掃除機内に吸い込まれるが、下側を向いており、掃除をする床に面している。ほこりとごみとの分離装置は、フィルタバッグまたは周知のものの形式とすることができ、代替的にサイクロン配置の形式とすることができる。本発明は、ほこりとごみとの分離装置の性質に関するものではなく、従って、他の方式を利用した電気掃除機に適用可能である。
【発明の開示】
【発明が解決しようとする課題】
【０００３】
例えば、ブラシバーの形式の撹拌器は、入口から小さい範囲で突出して汚れた空気中で支持されている。ブラシバーは、一般的に長い円筒形の核を含み、その核からはその経方向に長さを持った毛が伸びている。ブラシバーはモータによって駆動され、一般的には駆動ベルトを介しており、ブラシバーが吸い込み口内で回転する。ブラシバーの回転は、毛に絨毯の繊維からほこりと残骸とをたたかせて、掃除をする。空気の吸引は、空気をブラシバーの周囲に流してブラシバーの下部が掃除をする面からほこりとごみとを持ち上げる補助をしており、従って、汚れた空気の吸い込み口からほこりとごみとの分離装置へとそれらを運搬している。絨毯の面を掃除するときに撹拌器を使用することは、撹拌器を使用しない場合よりも優れた掃除能力を提供している。
【課題を解決するための手段】
【０００４】
本発明の第１の実施形態は、ほこりとごみとを分離する手段と、吸い込みの気流を発生させるためのファンを駆動するように組みつけられたモータと、該モータに電力を供給するために選択的に操作可能なスイッチと、を含んだ掃除器具のためのクリーナヘッドにおいて、該クリーナヘッドは、前記モータが通電されたときに駆動されるように組みつけられた駆動可能な撹拌器を含んでいるクリーナヘッドを提供することである。
【０００５】
本発明の第２の実施形態は、ほこりとごみとを分離する手段を収納している主ボディと、吸い込みの気流を発生させるためのファンを駆動するように組みつけられたモータと、該モータへの電力供給のための選択的に操作可能なスイッチと、前記モータが通電されたときに駆動されるように組みつけられた駆動可能な撹拌器を備えたクリーナヘッドと、を含んでいる掃除機を提供することである。
【０００６】
本発明のさらなる実施形態は、ほこりとごみとを分離する手段と、吸い込みの気流を発生させるためのファンを駆動するように組みつけられたモータと、駆動可能な撹拌器を備えたクリーナヘッドと、を含んだ掃除器具のための回路構成において、該回路構成は、使用者が前記モータに通電するために操作可能であって、前記モータが通電されたときに前記撹拌器が駆動されるように組みつけられたスイッチを含んでいる回路構成を提供することである。
【０００７】
使用者が、撹拌器のスイッチを入れ忘れて器具を再起動させ、それによって最良の掃除性能を得られていないことが、従来の掃除機では見受けられた。本発明は、撹拌器が主吸引モータを自動的に起動されることによってこの問題が発生することを防止している。使用者は、掃除機を使用するときに、撹拌器の操作を選択することを覚えている必要がない。
【０００８】
好適には撹拌器は撹拌器自身の専用モータによって駆動されるのがよく、そのモータはクリーナヘッドに配置されてもよい。
【０００９】
その撹拌モータのスイッチは、使用者が望まないとき、つまり絨毯を強いてない床面を掃除するときには、撹拌モータは電源が切られるように設けられている。撹拌モータは絨毯を敷いた床面の掃除のために、実質的に電源を供給されてもよい。
【００１０】
本発明は、添付図を参照すると共に、実施例によってここに記載される。
【００１１】
明細書を通して、同じ参照符号が同じ部品に付されている。
【発明を実施するための最良の形態】
【００１２】
図１および図３を参照すると、処理器具の表面は電気掃除機の態様を示しており、一般的に参照符号１によって示されているものである。電気掃除機１は主ボディ２と、使用者が操作可能なハンドル３と、床面に沿って掃除機の向きを変えるための第ローラ４とを含んでいる。
【００１３】
図３に見られるように、ローラ４はファン５およびそのファンを駆動するためのモータ６を収容している。モータ６とファン５とは、空気のような流体を器具内に吸引するための吸い込みを共に発生させる。モータ６とファン５とは、ローラ４と共に回転するように配置されてもよく、またはローラ４がそれらに対して相対回転するように拘束されてもよい。使用者が操作可能なボタン７の形式のスイッチは、主ボディ２の上部に設けられており、そのボタンが押されたときに、モータ６に通電されるように組みつけられている。そのモータはこのボタン７を利用して電源を切られてもよい。
【００１４】
主ボディ２は分離装置８も収容しており、ファン５とモータ６とによって機内に引き込まれた汚れた気流からごみ、ほこりおよびその他の残骸を分離している。この実施形態において、分離装置８はサイクロン式であり、その中でごみおよびほこりは気流により回転する。サイクロン式分離装置８は２つのサイクロン式分離ステージを含み、それらのステージは互いに直列に配置されている。第１のステージは円筒壁チャンバ９であり、第２のステージはテーパのセット１０を含み、略円錐台形状のチャンバであって互いに平行に配置されている。気流は第１のサイクロンチャンバ９の上部において接線方向に向いている。より大きな残骸はおよび小片は除去されて、第１のサイクロンチャンバ９に集められる。従って、気流はシュラウド（Shroud）１１を通過して、より小さい円錐台形状のサイクロンチャンバのセット１０へと向かう。細かいほこりはこれらのチャンバによって分離され、その分離されたほこりは共通の収集領域に集められる。分離装置の第２のセット１０は直立可能であり、すなわち、上部に流体の入口および出口があり、底部にほこりの出口があり、またはそれらが逆転しており、言い換えれば、流体の入口および出口が底部にあり、ほこりの出口が上部にある。ごみ分離装置８の性質は本発明には重要でない。
【００１５】
主ボディ２は、清浄化された気流内の細かい粒子を捕らえるためのフィルタ（これらの図中には図示していない）も収容している。これらのフィルタは、分離装置によって気流からまだ除去されていないあらゆるほこりの微粒子を除去する。第１のフィルタはプレモータ（pre-motor）フィルタと呼ばれているが、モータ６およびファン５の前に設けられている。第２のフィルタはポストモータ（post-motor）フィルタと呼ばれているが、モータ６およびファン５の後に設けられている。吸い込みファン５を駆動するためのモータ６がカーボンブラシを備えているときは、ポストーモータフィルタも、ブラシによって放出されたあらゆるカーボン粒子を捕らえる働きをしている。
【００１６】
ローラ４は掃除機が床面に沿って容易に操作されることを可能にしている。しかしながら、主ボディ２が直立している、または略直立位置にあるときには、ローラ４は掃除機を十分に支持するように設けられなくてもよい。このために、支持アセンブリ１２が設けられている。
【００１７】
ハンドル３は主ボディ２の後部から上方に伸びている。掃除機１が図１に示されている位置にあるとき、シリンダモードが使用可能であり、その場合、ハンドル３は離れてホースとワンド（wand）とのアセンブリとして使用されてもよい。主ボディ２の切換バルブは、分離装置８をワンドとホースとのアセンブリに自動的に接続し、掃除機が床上を掃除するための、このシリンダモードにおいて使用可能となる。空気はワンドの端部を通って掃除機内に引き込まれ、ワンドは適切な操作のために、掃除機から放されることが可能となっている。
【００１８】
掃除機１が従来型の直立モードで使用されるとき、使用者は主ボディ２を倒す。支持アセンブリ１２は格納式に取り付けられており、掃除機１の主ボディ２が直立して掃除するために倒されたとき、図３に示されたようになる。
【００１９】
クリーナヘッド１３は、直立清掃モードにおいて床面を処理するように働き、それは図２により詳細に示されている。この実施形態において、クリーナヘッドはブラシバー１５の形状をした撹拌器を支持するためのチャンバ１４を含んでいる。より低いチャンバ１４の床に面する側は、空気流入スロット１６を備え、ブラシバー１５はチャンバ内に回転可能に取り付けられ、ブラシバー１５上の毛は流入スロットを取って突出しており、クリーナヘッドが通過させられる床面上を撹拌している。ブラシバー１５は、クリーナヘッドの内部に配置された、専用のモータ１８によって回転駆動されている。歯車１９のシステムは、モータ１８をブラシバー１５に接続して、駆動力を供給している。
【００２０】
電気的接続２０は、電力を供給するためにブラシバーモータ１８に設けられている。本発明によると、クリーナヘッド１３は、主吸引モータ６がスイッチを入れられたときにクリーナヘッド内のモータ１８も電力が供給されるように組みつけられており、そのときブラシバー１５は掃除機の起動に伴って自動的に駆動される。
【００２１】
図３の部分断面図は制御回路構成２１を示しており、それは掃除機の起動に伴うブラシバー１５の自動的な駆動の効果をあげるために利用されてもよい。制御回路構成２１は、気流の通路の吸い込み部に形成されたダクト２２の内部に配置され、その位置はごみ分離装置８の後でかつローラ４に配置された主吸引モータ６の上流である。気流内における回路構成２１の配置は、電子部品が適切に冷却されることを保証している。
【００２２】
使用者はスイッチを利用して、ブラシバーモータ１８の電源入および電源切も選択可能であり、そのスイッチは押しボタン２３の形式で機械に設けられている。ボタン２３は、機械の主ボディ２の上部の位置に、見えやすいように都合よく配置されている。ボタン２３はブラシバー１５のモータ１８のスイッチを切るために利用されてもよい。例えば、使用者は絨毯が敷いていない床面の掃除を望んでもよく、その場合ブラシ１５は利用されない。その代わりに、使用者はホースとワンドとのアセンブリを掃除のために使用することを望んでもよい。
【００２３】
この実施形態において、ボタン２３はボタン７の隣に設けられており、使用者は掃除機１のスイッチを入れて主吸引モータ６に電力を供給して吸い込みの気流を発生させる。ボタン７および２３は視覚的に識別するものを備え、それらの個々の機能を識別している。
【００２４】
制御回路構成２１は、自分自身で初期化するように組みつけられており、主吸引モータ６がスイッチを切られた後再通電されたときに、ブラシバーモータ１８は自動的に再起動して、ブラシバー１５を回転させる。
【００２５】
本発明は直立式の掃除機を参照して記載されているが、ホースとワンドとのアセンブリの端部に配置された床面処理ヘッドを備えたシリンダ型掃除機にも適用される。そのクリーナヘッドは、床用ツールの形式で提供されてもよく、各タイプのホースとワンドとのアセンブリの端部に適合されてもよい。
【００２６】
もちろん、さらに多様な種類が、本発明の範囲から逸脱することなく創造されてもよい。例えば、器具の主ボディとクリーナヘッドとの間の物質的な電気的接続は必要ない。無線信号が利用されて専用のブラシバーモータが起動されてもよく、その場合、ブラシバーモータは、バッテリーのような専用の電源によって都合よく電力を供給される。
【００２７】
描写された実施形態は、ダクトが気流を運ぶ電気掃除機であり、その一方で、本発明は水および洗浄剤のような別の流体を運ぶ電気掃除機に適用可能であることは、有利な点である。
【図面の簡単な説明】
【００２８】
【図１】本発明の第１の実施形態によって構成された床面処理器具の正面図である。
【図２】図１に示された床面処理器具の斜視図および部分断面図である。
【図３】使用モードにおける図１に示された器具の斜視図および部分断面図である。
【符号の説明】
【００２９】
１      電気掃除機
２      主ボディ
３      ハンドル
４      ローラ
７      ボタン
８      分離装置
９      第1のサイクロンチャンバ
１２    ダクト
１３    クリーナヘッド
１４    チャンバ
１５    ブラシバー
１６    空気流入スロット
１７    毛
１８    専用モータ
１９    歯車
２０    電気的接続
２１    制御回路構成
２２    ダクト
【図１】
2008526414.tif 000003
【図２】
2008526414.tif 000004
【図３】
2008526414.tif 000005
【手続補正書】
【提出日】平成18年11月17日(2006.11.17)
【手続補正１】
【補正対象書類名】特許請求の範囲
【補正対象項目名】全文
【補正方法】変更
【補正の内容】
【特許請求の範囲】
【請求項１】
ほこりとごみとを分離する手段と、
吸い込みの気流を発生させるためのファンを駆動するように組みつけられたモータと、
該モータに電力を供給するために選択的に操作可能なスイッチと、を含んだ掃除器具のためのクリーナヘッドにおいて、
該クリーナヘッドは、使用者が前記モータのスイッチを入れたときに、自動的に駆動されるように組みつけられた駆動可能な撹拌器を含んでいることを特徴とするクリーナヘッド。
【請求項２】
前記撹拌器を駆動するための撹拌モータをさらに含んでいることを特徴とする、請求項１に記載のクリーナヘッド。
【請求項３】
前記撹拌モータへの電力供給と電力切断とを選択するためのスイッチをさらに含んでいることを特徴とする、請求項２に記載のクリーナヘッド。
【請求項４】
前記撹拌器は回転可能なブラシバーを含んでいることを特徴とする、請求項１〜３のいずれか一項に記載のクリーナヘッド。
【請求項５】
実質的に参照を伴って以上に記載され、または添付図中に描写されたクリーナヘッド。
【請求項６】
ほこりとごみとを分離する手段を収納している主ボディと、
吸い込みの気流を発生させるためのファンを駆動するように組みつけられたモータと、
該モータへの電力供給のための選択的に操作可能なスイッチと、
使用者が前記モータのスイッチを入れたときに自動的に駆動されるように組みつけられた駆動可能な撹拌器を備えたクリーナヘッドと、を含んでいることを特徴とする掃除器具。
【請求項７】
前記撹拌器を駆動するための撹拌モータをさらに含んでいることを特徴とする、請求項６に記載の掃除器具。
【請求項８】
前記撹拌モータへの電力供給と電力切断とを選択するための撹拌モータスイッチをさらに含んでいることを特徴とする、請求項７に記載の掃除器具。
【請求項９】
前記撹拌モータスイッチは主ボディに配置されていることを特徴とする、請求項８に記載の掃除器具。
【請求項１０】
前記撹拌モータは前記クリーナヘッド内に配置されていることを特徴とする、請求項７、８または９に記載の掃除器具。
【請求項１１】
前記撹拌器は回転可能なブラシバーを含んでいることを特徴とする、請求項６〜１０のいずれか一項に記載の掃除器具。
【請求項１２】
電気掃除機の形式であることを特徴とする請求項６〜１１のいずれか一項に記載の掃除器具。
【請求項１３】
実質的に参照を伴って以上に記載され、または添付図中に描写されたクリーナヘッド。
【請求項１４】
ほこりとごみとを分離する手段と、
吸い込みの気流を発生させるためのファンを駆動するように組みつけられたモータと、駆動可能な撹拌器を備えたクリーナヘッドと、を含んだ掃除器具のための回路構成において、
該回路構成は、使用者が前記モータに通電するために操作可能であって、使用者が前記モータのスイッチを入れたときに前記撹拌器が自動的に駆動されるように組みつけられたスイッチを含んでいることを特徴とする回路構成。
【手続補正２】
【補正対象書類名】明細書
【補正対象項目名】０００４
【補正方法】変更
【補正の内容】
【０００４】
本発明の第１の実施形態は、ほこりとごみとを分離する手段と、吸い込みの気流を発生させるためのファンを駆動するように組みつけられたモータと、該モータに電力を供給するために選択的に操作可能なスイッチと、を含んだ掃除器具のためのクリーナヘッドにおいて、該クリーナヘッドは、使用者が前記モータのスイッチを入れたときに自動的に駆動されるように組みつけられた駆動可能な撹拌器を含んでいるクリーナヘッドを提供することである。
【手続補正３】
【補正対象書類名】明細書
【補正対象項目名】０００５
【補正方法】変更
【補正の内容】
【０００５】
本発明の第２の実施形態は、ほこりとごみとを分離する手段を収納している主ボディと、吸い込みの気流を発生させるためのファンを駆動するように組みつけられたモータと、該モータへの電力供給のための選択的に操作可能なスイッチと、使用者が前記モータのスイッチを入れたときに自動的に駆動されるように組みつけられた駆動可能な撹拌器を備えたクリーナヘッドと、を含んでいる掃除機を提供することである。
【手続補正４】
【補正対象書類名】明細書
【補正対象項目名】０００６
【補正方法】変更
【補正の内容】
【０００６】
本発明のさらなる実施形態は、ほこりとごみとを分離する手段と、吸い込みの気流を発生させるためのファンを駆動するように組みつけられたモータと、駆動可能な撹拌器を備えたクリーナヘッドと、を含んだ掃除器具のための回路構成において、該回路構成は、使用者が前記モータに通電するために操作可能であって、使用者が前記モータのスイッチを入れたときに前記撹拌器が自動的に駆動されるように組みつけられたスイッチを含んでいる回路構成を提供することである。
【国際調査報告】
2008526414.tif 000006
2008526414.tif 000007
2008526414.tif 000008